(57)【要約】【課題】ひったくりを防止する機能を有するとともに小物入れ内の小物及び前かご内の収容物を保護することができ、さらに若い女性等の使用にも適した商品価値の高い前かご用小物入れを提供する。【解決手段】自転車Ｃ等の前かご１１に取り付けた状態で使用する小物入れ１であって、前かご１１の後壁１１Ｂに固定された取付金具１３を覆うように、後壁１１Ｂの前側に添わせた状態で固定手段３により固定され、上部に開口部とその開閉手段４を備えた。また、小物入れ１の本体２を前かご１１の後壁１１Ｂに添設されるスリムかつコンパクトな嵩張らない構成とした。【選択図】図１
0003126196.tif 000002
【実用新案登録請求の範囲】
【請求項１】
自転車等の前かごに取り付けた状態で使用する小物入れであって、
前かごの後壁に固定された取付金具を覆うように、前記後壁の前側に添わせた状態で固定手段により固定され、上部に開口部とその開閉手段を備えてなることを特徴とする前かご用小物入れ。
【請求項２】
前記固定手段が、小物入れ本体の後面側上部に設けられた左右のフックを前記後壁の水平ワイヤーに掛止し、前記小物入れ本体の後面側下部に設けられた左右の紐を前記後壁の後側で緊結又は固定具により固定するものであることを特徴とする請求項１記載の前かご用小物入れ。
【請求項３】
下端縁が小物入れ本体の前面に取り付けられたシート体を前記前面に添わせた状態で、該シート体の上部を前記前面に取り付け又は前記前面から取り外し可能な着脱手段を設け、該着脱手段により前記シート体の上部を前記前面から取り外して前記シート体を前方に倒すことにより、該シート体により前記前かごの底壁に固定された取付金具を覆うことを特徴とする請求項１又は２記載の前かご用小物入れ。
【考案の詳細な説明】
【技術分野】
【０００１】
本考案は、自転車又はミニバイク等の前かごに取り付けた状態で使用する小物入れに関するものである。
【背景技術】
【０００２】
従来の前かご用小物入れとして、自転車の前かごを大荷かご（通常の前かごに相当）と小荷かごの二重構造として、小荷かごを着脱容易な携帯かごとするとともに、大荷かごと小荷かごを結合したときの両者のすき間（小荷かごの底壁の下側で大荷かごの底壁の上側）を小物入れとして使用するもの（例えば、特許文献１参照。）、小物入れとして用いる袋本体のフックを前かごの後壁に後側から掛けて袋本体を前かごの後側に位置させるもの（例えば、特許文献２参照。）等がある。また、前かご全体を覆うカバーを設け、該カバーの上部をファスナーまたは紐で閉じることができるもようにして前かご全体を小物入れとして用いる構成も一般的である。
【０００３】
【特許文献１】特開２００５−２２６２５号公報（図１−２）
【特許文献２】特開２００１−２５８６３０号公報（図３、図８）
【考案の開示】
【考案が解決しようとする課題】
【０００４】
上記前かご用小物入れは、いずれもひったくりを防止することができるものであるが、特許文献１の構成では、前かごがワイヤー状のものである場合にかごの隙間から小物が抜け落ちること及び底壁上の固定金具等に小物が当たって傷つくこと等の問題がある。また、特許文献２の構成では、前かごの後側に取り付けるものであるため、ミニバイク等には取り付けることができないという問題がある。さらに、特許文献２の図３の構成では、ハンドルステー（ハンドルポスト）を避けるように袋本体を形成する必要から小物入れの構造が複雑になるという問題がある。さらにまた、特許文献２の図８の構成では、前かごの左側又は右側に取り付けるため、バランスが悪くなることや意匠性が低下するという問題もある。また、前かご全体を覆うカバーを設ける構成では、前かご内の小物が後壁又は底壁上の固定金具等に小物が当たって傷つくこと等の問題がある。その上、上記前かご用小物入れは、いずれもその大きさや外観等から、特におしゃれ感覚が鋭くスタイルや流行に敏感な若い女性には受け入れられていない。
【０００５】
本考案は、このような課題を解決するためになされたものであり、ひったくりを防止する機能を有するとともに小物入れ内の小物及び前かご内の収容物を保護することができ、さらに若い女性等の使用にも適した商品価値の高い前かご用小物入れを提供することを目的とする。
【課題を解決するための手段】
【０００６】
本考案に係る自転車の前かご用小物入れは、前記課題解決のために、自転車等の前かごに取り付けた状態で使用する小物入れであって、前かごの後壁に固定された取付金具を覆うように、前記後壁の前側に添わせた状態で固定手段により固定され、上部に開口部とその開閉手段を備えてなるものである。
【０００７】
ここで、前記固定手段が、小物入れ本体の後面側上部に設けられた左右のフックを前記後壁の水平ワイヤーに掛止し、前記小物入れ本体の後面側下部に設けられた左右の紐を前記後壁の後側で緊結又は固定具により固定するものであると好ましい。
【０００８】
また、下端縁が小物入れ本体の前面に取り付けられたシート体を前記前面に添わせた状態で、該シート体の上部を前記前面に取り付け又は前記前面から取り外し可能な着脱手段を設け、該着脱手段により前記シート体の上部を前記前面から取り外して前記シート体を前方に倒すことにより、該シート体により前記前かごの底壁に固定された取付金具を覆うと好ましい。
【考案の効果】
【０００９】
本考案に係る自転車の前かご用小物入れは、自転車等の前かごに取り付けた状態で使用する小物入れであって、前かごの後壁に固定された取付金具を覆うように、前記後壁の前側に添わせた状態で固定手段により固定され、上部に開口部とその開閉手段を備えてなるので、この小物入れが前かごに固定されていることから、前記小物入れ並びにその中に収容した財布、コインケース、携帯電話、たばこ及びライター等の小物をひったくりから守ることができる。また、前記小物入れの上部に開口部があることから、自転車に乗った状態でも小物の収容又は取出しが容易であるとともに、前記開閉手段があることから収容した小物が飛び出すことがない。さらに、前記小物入れが前かごの後壁に固定された取付金具を覆っていることから、該取付金具及び取付ねじに当たって前記小物及び前かご内に収容した鞄又は袋等が傷つくことがない。さらにまた、前記小物入れが前記取付金具を覆っていることから該取付金具が美観を損ねることがないし、前記小物入れ自体が前かごの後壁に添設されるスリムかつコンパクトな嵩張らない構成であることから、特におしゃれ感覚が鋭くスタイルや流行に敏感な若い女性等の使用にも適したものである。
【００１０】
また、前記固定手段が、小物入れ本体の後面側上部に設けられた左右のフックを前記後壁の水平ワイヤーに掛止し、前記小物入れ本体の後面側下部に設けられた左右の紐を前記後壁の後側で緊結又は固定具により固定するものであると、前記効果に加え、前記小物入れをワイヤー状の前かご及びメッシュ状の前かごのどちらにも容易に取り付けることができる。
【００１１】
さらに、下端縁が小物入れ本体の前面に取り付けられたシート体を前記前面に添わせた状態で、該シート体の上部を前記前面に取り付け又は前記前面から取り外し可能な着脱手段を設け、該着脱手段により前記シート体の上部を前記前面から取り外して前記シート体を前方に倒すことにより、該シート体により前記前かごの底壁に固定された取付金具を覆うと、前記効果に加え、前記底壁に固定された取付金具及び取付ねじに当たって前かご内に収容した鞄又は袋等が傷つくことがないし、前かご内に前記鞄等を収容しない場合は、前記着脱手段により前記シート体を前記小物入れに添わせた状態で保持することができるため、該シート体が目立って美観を損ねることもない。
【考案を実施するための最良の形態】
【００１２】
次に、本考案の実施の形態を添付図面に基づいて説明するが、本考案は、添付図面に示された形態に限定されず実用新案登録請求の範囲に記載の要件を満たす実施形態の全てを含むものである。なお、本考案は、二輪又は三輪の自転車（電動補助（アシスト）自転車を含む。）、原動機付き自転車及びミニバイク等の前かごを取り付けることができる全ての車両に適用することができ、本考案に係る小物入れは前記前かごに取り付けた状態で使用される。また、本明細書において、前記車両を代表させて示す自転車に人が乗った状態における前後左右を前後左右とし、前方から見た図を正面図とする。
【００１３】
実施の形態１．
図１〜図５は本考案の実施の形態１に係る前かご用小物入れの構成を示す説明図であり、図１は小物入れを自転車の前かごに取り付けた状態を示す斜視図、図２は小物入れの斜視図、図３は同じく背面図（後側から見た図）、図４は同じく右側面図、図５は小物入れを前かごに固定する固定手段を説明するための斜視図である。
【００１４】
図１に示すように、例えば自転車Ｃに取り付けられるメッシュ状の前かご１１は、略水平な底壁１１Ｄ並びに該底壁１１Ｄの端縁から立ち上がり前記底壁１１Ｄの周囲を取り囲む側壁を構成する前壁１１Ｆ、左壁１１Ｌ、後壁１１Ｂ及び右壁１１Ｒから構成され、取付金具１３及び取付ねじ１４，…によりハンドルステーＨに固定されるとともに、取付金具１５及び取付ねじ１６，…により前かごステーＦに固定される。
【００１５】
次に、小物入れ１の構成について説明する。小物入れ１は、布、ビニール、革又はキルティング等の素材により形成され、前かごに取り付けた状態で使用されるため、防水加工を施すのが好ましい。図２〜図４に示すように、小物入れ１の本体２の上部には開口部２Ａがあり、該開口部２Ａから小物入れ１内に、財布、コインケース、携帯電話、たばこ及びライター等の小物を収容することができる。
【００１６】
また、開口部２Ａは、開口部２Ａの開閉手段であるスライドファスナー４により容易に開閉することができる。なお、開閉手段はスライドファスナー４に限定されるものではなく、面ファスナー、ボタン又はフック若しくはスナップ等であってもよい。このように、小物入れ１の上部に開口部２Ａがあることから、自転車Ｃに乗った状態でも前記小物の収容又は取出しが容易であるとともに、前記開閉手段があることから前記小物が小物入れ１から飛び出すことがない。さらに、雨天時を考慮すると、図２〜図４の小物入れ１において、スライドファスナー４を覆う図示しないカバーを設ける構成が、スライドファスナー４からの本体２の内部への雨水の侵入を抑制できるため、より望ましい実施態様である。
【００１７】
小物入れ１の本体２の後面２Ｂには、その上部の左右にフック５，５が、その下部の左右に紐６，６が取り付けられ、本体２の前面２Ｆにはポケット２Ｐが設けられる。このポケット２Ｐも小物の収容に用いることができる。また、前記左右のフック５，５及び紐６，６が、小物入れ１を前かご１１に固定する固定手段３を構成する。なお、一本の紐を小物入れ１の本体２の後面２Ｂの下部左右に設けた環状部を通すことにより、前記左右の紐６，６としてもよい。
【００１８】
次に、小物入れ１の前かご１１への取付けについて説明する。図１及び図５に示すように、前かご１１の後壁１１Ｂの前側に固定された取付金具１３を小物入れ１の本体２が覆うように、前記左右のフック５，５を前記後壁１１Ｂ上端の水平ワイヤー１２に掛止し、前記本体２を前記後壁１１Ｂの前側に添わせた状態とする。この状態で、メッシュ状の前かご１１のメッシュ孔から、前記左右の紐６，６を通して該紐６，６を前記後壁１１Ｂの後側で緊結することにより、小物入れ１は前かご１１に容易かつ確実に固定される。なお、左右の紐６，６は前記のように緊結するのではなく、適宜の固定具により固定するようにしてもよい。
【００１９】
このように小物入れ１が前かご１１に固定されていることから、小物入れ１及びその中に収容した小物をひったくりから守ることができる。また、前かご１１の後壁１１Ｂに固定された取付金具１３を小物入れ１が覆っていることから、取付金具１３及び取付ねじ１４，…に当たって前記小物及び前かご１１内に収容した鞄又は袋等が傷つくことがない。さらに、取付金具１３を小物入れ１が覆っていることから該取付金具１３が美観を損ねることがないし、小物入れ１自体が前かご１１の後壁１１Ｂに添設されるスリムかつコンパクトな嵩張らない構成であることから、特におしゃれ感覚が鋭くスタイルや流行に敏感な若い女性等の使用にも適している。
【００２０】
その上、前記のとおりメッシュ状の前かご１１のメッシュ孔を通る紐６，６により小物入れ１は前かご１１に固定されるので、小物入れ１をメッシュ状及びワイヤー状の前かご１１のどちらに対しても容易に取り付けることができる。
【００２１】
実施の形態２．
図６〜図１０は本考案の実施の形態２に係る前かご用小物入れの構成を示す説明図であり、図６は小物入れを自転車の前かごに取り付けた状態を示す斜視図、図７は小物入れの斜視図、図８は同じく背面図（後側から見た図）、図９は同じく右側面図、図１０は小物入れを前かごに固定する固定手段を説明するための斜視図である。なお、図６〜図１０において、実施の形態１の図１〜図５と同一符号は、同一又は相当部分を示している。
【００２２】
図６に示すように、本実施の形態では、自転車Ｃに取り付けられる前かご１１は、金属線材を格子状に組み合わせてなるワイヤー状のものであり、実施の形態１と同様に、取付金具１３及び取付ねじ１４，…によりハンドルステーＨに固定されるとともに、取付金具１５及び取付ねじ１６，…により前かごステーＦに固定される。
【００２３】
小物入れ１の構成については、実施の形態１の小物入れ１（図２〜図４参照。）と、固定手段３の一部のみが異なるため、固定手段３の構成について説明する。図７〜図９に示すように、小物入れ１の本体２の後面２Ｂには、その上部の左右にフック５，５が、その下部の左右に係着帯７，７が取り付けられており、これらのフック５，５及び係着帯７，７が、小物入れ１を前かご１１に固定する固定手段３を構成する。
【００２４】
左右の係着帯７，７を左右に延ばした状態で、該係着帯７，７の先端部の後側には面ファスナー８Ａ，８Ａが取り付けられ、小物入れ１の本体２の後面２Ｂの係着帯７，７の間の部分には面ファスナー８Ｂが取り付けられる。なお、係着帯７，７及び面ファスナー８Ｂとして、一枚の帯の両端部に面ファスナー８Ａ，８Ａを取り付け、中央部に面ファスナー８Ｂを取り付けたものを、前記面ファスナーを後側とした状態で小物入れ１の本体２の後面２Ｂの下部に縫着又は接着してもよい。また、左右の係着帯７，７を面ファスナーにより小物入れ１の本体２に係着して、左右の係着帯７，７を本体２に着脱可能に取り付けてもよい。
【００２５】
次に、小物入れ１の前かご１１への取付けについて説明する。図６及び図１０に示すように、前かご１１の後壁１１Ｂの前側に固定された取付金具１３を小物入れ１の本体２が覆うように、前記左右のフック５，５を前記後壁１１Ｂ上端の水平ワイヤー１２に掛止し、前記本体２を前記後壁１１Ｂの前側に添わせた状態とする。この状態で、ワイヤー状の前かご１１の開口から前記左右の係着帯７，７を後側に通して該係着帯７，７を左右方向の内側に折り曲げ、左右の面ファスナー８Ａ，８Ａを面ファスナー８Ｂに係着することにより、小物入れ１は前かご１１に容易かつ確実に固定される。
【００２６】
以上のような実施の形態２に係る小物入れ１の構成によっても実施の形態１と同様の作用効果を奏する。
【００２７】
なお、実施の形態１で示した小物入れ１の左右の紐６，６と実施の形態２で示した小物入れ１の左右の係着帯７，７を併用してもよい。例えば、本体２の後面２Ｂの下部の上下に紐６，６と係着帯７，７を備えさせておけば、これらを併用することによりワイヤー状の前かご１１に小物入れ１をより強固に固定することができる。なお、メッシュ状の前かご１１に小物入れ１を固定する際には、係着帯７，７を使用せずに紐６，６を使用すればよい。
【００２８】
実施の形態３．
図１１及び図１２は本考案の実施の形態３に係る前かご用小物入れの構成を示す説明図であり、図１１は右側面図、図１２は自転車の前かごに取り付けた状態を示す斜視図である。なお、実施の形態１の図１〜図５と同一符号は、同一又は相当部分を示している。
【００２９】
図１１及び図１２において、小物入れ１の本体２の前面２Ｆの下部には、シート体９の下端縁９Ｅが縫着又は接着等により取り付けられており、シート体９を本体２の前面２Ｆに添わせた状態で、着脱手段１０である面ファスナー１０Ａ，１０Ｂを係着されることによりシート体９の上部が前記前面２Ｆに取り付けられる。また、前記面ファスナー１０Ａ，１０Ｂを引き剥がすことにより、シート体９の上部を前記前面２Ｆから容易に取り外すことができる。なお、着脱手段１０は、面ファスナー１０Ａ，１０Ｂに限定されるものではなく、ボタン又はフック等であってもよい。また、シート体９の下端縁９Ｅを本体２の前面２Ｆに縫着等により固定せずに、面ファスナー又はボタン等によりシート体９を本体２と着脱可能として必要な時に取り付けてもよい。
【００３０】
着脱手段１０によりシート体９を小物入れ１の本体２の前面２Ｆに添わせた状態で保持すれば、実施の形態３に係る前かご用小物入れ１は実施の形態１と同様の作用効果を奏する。また、着脱手段１０によりシート体９の上部を前記前面２Ｆから取り外し、該シート体９を前方に倒すことにより、前かご１１の底壁１１Ｄに固定された取付金具１５を覆うことができる。したがって、前記底壁１１Ｄに固定された取付金具１５及び取付ねじ１６，…に当たって前かご１１内に収容した鞄又は袋等が傷つくことがないし、前かご１１内に前記鞄等を収容しない場合は、着脱手段１０によりシート体９を小物入れ１の本体２の前面２Ｆに添わせた状態で保持することができるため、シート体９が目立って美観を損ねることもない。
【図面の簡単な説明】
【００３１】
【図１】本考案の実施の形態１に係る小物入れを自転車の前かごに取り付けた状態を示す斜視図である。
【図２】本考案の実施の形態１に係る小物入れの斜視図である。
【図３】同じく背面図（後側から見た図）である。
【図４】同じく右側面図である。
【図５】小物入れを前かごに固定する固定手段を説明するための斜視図である。
【図６】本考案の実施の形態２に係る小物入れを自転車の前かごに取り付けた状態を示す斜視図である。
【図７】本考案の実施の形態２に係る小物入れの斜視図である。
【図８】同じく背面図（後側から見た図）である。
【図９】同じく右側面図である。
【図１０】小物入れを前かごに固定する固定手段を説明するための斜視図である。
【図１１】本考案の実施の形態３に係る小物入れの右側面図である。
【図１２】小物入れを自転車の前かごに取り付けた状態を示す斜視図である。
【符号の説明】
【００３２】
１  小物入れ
２  本体
２Ａ  開口部
２Ｂ  後面
２Ｆ  前面
２Ｐ  ポケット
３  固定手段
４  スライドファスナー（開閉手段）
５  フック
６  紐
７  係着帯
８Ａ，８Ｂ  面ファスナー
９  シート体
９Ｅ  下端縁
１０  着脱手段
１０Ａ，１０Ｂ  面ファスナー
１１  前かご
１１Ｆ  前壁
１１Ｂ  後壁
１１Ｒ  右壁
１１Ｌ  左壁
１１Ｄ  底壁
１２  水平ワイヤー
１３  取付金具
１４  取付ねじ
１５  取付金具
１６  取付ねじ
Ｃ  自転車
Ｆ  前かごステー
Ｈ  ハンドルステー
【図１】
0003126196.tif 000003
【図２】
0003126196.tif 000004
【図３】
0003126196.tif 000005
【図４】
0003126196.tif 000006
【図５】
0003126196.tif 000007
【図６】
0003126196.tif 000008
【図７】
0003126196.tif 000009
【図８】
0003126196.tif 000010
【図９】
0003126196.tif 000011
【図１０】
0003126196.tif 000012
【図１１】
0003126196.tif 000013
【図１２】
0003126196.tif 000014